(57)【特許請求の範囲】
【請求項１】
先端部に凹所を有する本体と、収納周壁の上端に外向きのフランジ部が形成され前記本体に装着されて本体収納部を構成する中枠と、内向きフックを有する係合片を先端部に垂設し前記本体の後端部で回動自在に蝶着された蓋体と、前記フックと係合する外向きフック部が形成された係合孔を有し前記本体の凹所に前後方向移動可能に装着された押し釦と、前記押し釦を前方付勢する線径バネと、を備えて成るコンパクト容器において、前記中枠のフランジ部における先方部フランジに前記押し釦の幅よりも狭い幅の切欠凹所を設けるとともに、前記収納周壁の下面を前記本体の底板部に超音波溶着して固定し前記先方部フランジに可撓性を保持させたことを特徴とするコンパクト容器。
【請求項２】
前記線径バネを中央部に凹曲部を有する弓形に形成すると共に、前記押し釦の裏面に前記係合孔を囲むコの字形配置にそれぞれ独立した三つのリブを垂設して隙間を形成し、前記線径バネを前記隙間に挟んで保持させたことを特徴とする請求項１記載のコンパクト容器。
【発明の詳細な説明】
【０００１】
【発明の属する技術分野】
本発明は、押し釦を用いた蓋の係止解錠機構を有するコンパクト容器に関するものであり、詳しくは、コンパクト容器における蓋の係止解錠機構を構成する押し釦の組み付け作業の改善に関する。
【０００２】
【従来技術】
従来より、押し釦を用いた蓋の係止解錠機構を有するコンパクト容器として、例えば、図８に示す実開昭 ６０−１３２２０２号公報に提示されているように、本体５３の先端部の凹所５４内に、蓋体５０の先端部から垂下したフック５１と係止可能な押し釦５２を前後方向スライド可能に金属バネ５５で前方へ付勢状態に配置してなる蓋の係止解錠機構を有するものが周知である。
【０００３】
この種のコンパクト容器は、押し釦５２とフック５１が係合している閉蓋時に、押し釦５２をバネ圧に抗して内部後方へ押圧して押し込むと、押し釦５２とフック５１の係合が解除されて蓋体５０が開放されるものであり、ワンタッチで開閉できて使い易いことから多用されている。この種のコンパクト容器の押し釦５２を付勢する金属バネとしては、コイルスプリングや板バネ、線径バネ等が使用されている。
【０００４】
また、従来のこの種のコンパクト容器における押し釦５２と金属バネ５５の組み付けは、本体５３先端部の上面開放の凹所５４へ押し釦５２と金属バネ５５を配置すると共に、配置された押し釦５２と金属バネ５５が本体５３上方へ抜け出ないように、中枠５６のフランジ部５７における前方フランジ部５７ａで前記凹所５４を覆って押し釦５２を作動可能に押さえ込でフランジ部５７の裏面と本体５３の周壁上端面５８を超音波溶着し、中枠５６の溶着作業と共に行われている。
【０００５】
【発明が解決しようとする課題】
しかしながら、従来のこの種のコンパクト容器は、押し釦５２と金属バネ５５を本体５３内にぞれぞれ配置した不安定な状態で中枠５６の溶着作業を行うので、組立作業が煩雑になって作業性が悪いうえに、装着後の押し釦５２の作動に不具合があっても、押し釦５２や金属バネ５５を本体５３から取り外して交換することが出来ない構成のものが多く、押し釦５２が装着された中枠５６付き本体５３を不良品として廃棄することとなり不経済であった。
【０００６】
また、従来のこの種のコンパクト容器にあって、使用する金属バネがコイルスプリングの場合は、コンパクト容器の前後方向のデットスペースが大きくなる欠点がある。また、板バネを使用した場合は、板バネの高さ方向の幅が広いことから押し釦の厚みが大きくなって薄型のコンパクト容器には不向きであった。これらの金属バネに比較して、線径バネは、省スペース、価格、使用感触の観点から好ましい金属バネであるが、厚みがなく配置安定性が悪いため線径バネを用いた押し釦の組み付け作業はやりにくいという欠点があった。
【０００７】
本発明は、上記の問題に鑑みてなされたもので、線径バネと押し釦を用いて組立易い蓋の係止解錠機構を構成することにある。
【０００８】
【課題を解決するための手段】
本発明は、先端部に凹所を有する本体と、収納周壁の上端に外向きのフランジが部が形成され前記本体に装着されて本体収納部を構成する中枠と、内向きフックを有する係合片を先端部に垂設し前記本体の後端部で回動自在に蝶着された蓋体と、前記フックと係合する外向きフック部が形成された係合孔を有し前記本体の凹所に前後方向移動可能に装着された押し釦と、前記押し釦を前方付勢する線径バネと、を備えて成るコンパクト容器において、前記中枠のフランジ部における先方部フランジに前記押し釦の幅よりも狭い幅の切欠凹所を設けるとともに、前記収納周壁の下面を前記本体の底板部に超音波溶着して固定し前記先方部フランジに可撓性を保持させた。
【０００９】
上記の構成としたことにより、本体と中枠を溶着した後、本体の凹所に押し釦を圧入し、先方部フランジが撓むことで後付け装着ができるとともに、装着された押し釦を先方部フランジが撓むことで抜き取り可能とした。
【００１０】
また、前記線径バネを中央部に凹曲部を有する弓形に形成すると共に、前記押し釦の裏面に前記係合孔を囲むコの字形配置にそれぞれ独立した三つのリブを垂設して隙間を形成し、前記線径バネを前記隙間に挟んで保持させたことにより、線径バネが押し釦に確実に保持され、本体の凹所に線径バネ付きの押し釦をワンタッチで装着できるようにした。
【００１１】
【発明の実施の形態】
以下、本発明のコンパクト容器の好適な実施の形態を添付図面を参照しながら詳細に説明する。
【００１２】
図１乃至図７は、本発明の実施の形態を示しており、先端部に凹所２を有する本体１と、収納周壁１１の上端に外向きのフランジ部１２が形成され前記本体１に装着されて本体収納部３を構成する中枠１０と、内向きフック２１を有する係合片２２を先端部に垂設し前記本体１の後端部（図示省略）で回動自在に蝶着された蓋体２０と、前記フック２１と係合する外向きフック部３１が形成された係合孔３２を有し前記本体１の凹所２に前後移動可能に装着された押し釦３０と、前記押し釦３０を前方付勢する線径バネ４０と、を備えて構成されている。
【００１３】
本体１は、後端部に蝶番部（図示省略）を有する上面開放の方形の函状に形成されており、先端部における凹所２の低い前壁４の内側には本体１の中心線を挟んで一対の第１リブ５、５が立設され、その外側に受板６ａ、６ａを有する第２リブ６、６が立設され、更にその外側に凹所２の両側壁を構成する第３リブ７、７が立設されている。前壁４裏面の第２リブ６、６と第３リブ７、７との間は垂直面８となっている。
【００１４】
中枠１０は、上記本体１の内側に装着されて化粧料を入れる本体収納部３を構成するものであり、その先方部フランジ１３には、押し釦３０の幅よりも狭い幅の切欠凹所１４が設けられており、先方部フランジ１３は本体１の凹所２の上方に及んで押し釦３０の上方抜け出しを押さえ込むと共に、押し釦３０の係合孔３２を上方開放して蓋体２０の係合片２２の係合孔３２への挿脱を可能としている。
【００１５】
また、中枠１０の収納周壁１１におけるフランジ下の深さ寸法は、本体１の深さ寸法よりも少なくとも大きく設定されており、中枠１０は収納周壁１１の下端面に適宜間隔をおいて突設された超音波リブ１５により収納周壁１１の下端面において本体１の底板部９に超音波溶着されている。中枠１０の超音波溶着作業でフランジ部１２の下面と本体１の周壁４ａ上面とが溶着しないようになっている。
【００１６】
上述のように、収納周壁１１の下端面と本体１の底板部９とを超音波溶着して中枠１０を固定したことから、溶着箇所から距離のある中枠１０の先方部フランジ１３には僅かに可撓性が保持されている。従って、本体１の凹所２に押し釦３０を圧入すると先方部フランジ１３が上方に撓むことから押し釦３０の後付け装着ができるとともに、装着された押し釦３０の抜き取りも可能としている。
【００１７】
蓋体２０は、本体１の上面を回動自在に覆合する浅い皿状に形成されており、裏面に形成された枠２３内に化粧用鏡２４が両面接着テープ２５で貼着されている。
【００１８】
押し釦３０は、面板３３と、面板３３前方に垂下する前壁３４と、下面に抜け止め突起３６、３６が突設された両側壁３５、３５を有して構成され、前壁３４の中央部裏面に沿って面板３３に穿孔された係合孔３２には前壁３４と対向する一側に外向きフック３１が形成されている。
【００１９】
また、押し釦３０の裏面には係合孔３２を囲むコの字形配置にそれぞれ独立した三つのリブ３７ａ、３７ｂ、３７ｃが垂設されており、前壁３４とリブ３７ａ、３７ｂの先端面と、リブ３７ｃの両端面とリブ３７ａ、３７ｂの側面との間には線径バネ４０を挟持する為の隙間Ｋが形成されている。
【００２０】
線径バネ４０は、鋼製のバネ線材を用いて中央部に凹曲部４１を有する弓形に形成されており、凹曲部４１の両側の撓み部４２、４２の両端には、本体１における第２リブ６、６の受板６ａ、６ａに当接する屈曲部４３、４３が形成されている。
【００２１】
線径バネ４０は、押し釦３０裏面のリブ３７ａ、３７ｂ、３７ｃによる間隙Ｋに挟持され、押し釦３０に確実に保持される。
【００２２】
本実施の形態のコンパクト容器は上記の部材で構成されており、押し釦３０及び線径バネ４０を本体１に組み付ける場合は、中枠１０を溶着して組み付け本体１の凹所２開口端から線径バネ４０付き押し釦３０を無理嵌め圧入する。この操作により先方部フランジ１３が上方に撓み、押し釦３０は凹所２内に装着される。線径バネ４０が押し釦３０に隙間Ｋで確実に保持されており、且つ先方部フランジ１３が撓むことから、組み付け作業はワンタッチで容易に行える。
【００２３】
押し釦３０の組み付けにより、線径バネ４０の屈曲部４３、４３が本体１における第２リブ６、６の受板６ａ、６ａに当接して線径バネ４０は僅かに撓み、押し釦３０の抜け止め突起３６、３６が本体における前壁４の垂直面６、６に弾性的に当接して、押し釦３０は前後方向移動可能に装着される。
【００２４】
装着後の押し釦３０の作動に不具合がある場合は、工具を使って先方部フランジ１３を撓ませ、押し釦３０を線径バネ４０と共にこじり出すことが可能であり、本体１を廃棄することなく新しい押し釦３０と交換することができる。
【００２５】
尚、従来のコンパクト容器の組立のように、中枠１０装着前の本体１に線径バネ４０付き押し釦３０を装填し、その後に中枠１０を溶着をすることも可能である。この場合も、中枠１０の収納周壁１１の下面を本体１の底板部９に超音波溶着して先方部フランジ１３に可撓性を保持させることにより、押し釦３０の着脱を可能とすることができる。また、押し釦３０の材質を本体１や中枠１０の材質と同一の材質を使って形成しても押し釦３０と本体１とが組立作業で溶着することなく、同一材質の使用が可能である。
【００２６】
【発明の効果】
本発明は、以上説明したような形態で実施され、以下に記載されるような効果を奏する。
【００２７】
中枠の収納周壁の下面と本体の底板部とを超音波溶着することにより、先方部フランジが撓むように中枠を本体へ固定したので、押し釦の後付け作業が可能となり、押し釦の装着作業を効率良くすることができる。また、装着後の押し釦の作動に不具合があっても押し釦を交換して中枠付き本体を使用することが可能となり、資材の無駄がなくなり経済的に有利である。
【００２８】
また、線径バネを中央部に凹曲部を有する弓形に形成して押し釦の裏面に確実に保持させる構成としたので、線径バネを使用することで押し釦を薄形にしてデットスペースの小さなコンパクト容器とすることができるとともに、中枠付きの本体凹所に線径バネ付きの押し釦をワンタッチで装着することが可能となり、組み付け作業が簡便化される。
【図面の簡単な説明】
【図１】本発明のコンパクト容器の実施の形態を示す要部の断面図。
【図２】図１のコンパクト容器の図３におけるＡ矢視方向を示す断面図。
【図３】図１のコンパクト容器の本体側を示す斜視図。
【図４】図３の分解斜視図。
【図５】本実施の形態における押し釦と線径バネの裏面を示す斜視図。
【図６】本実施の形態における押し釦に線径バネを装着した状態を示す裏面図。
【図７】本実施の形態における本体と線径バネとの位置関係を示す説明図。
【図８】従来例を示す断面図。
【符号の説明】
１  本体，２  凹所，３  本体収納部，９  底板部，１０  中枠，１１  収納周壁，１２  フランジ部，１３  先方部フランジ，１４  切欠凹所，１５  超音波リブ，２０  蓋体，２１  内向きフック，２２  係合片，３０  押し釦，３１外向きフック，３２  係合孔，３７ａ、３７ｂ、３７ｃ  三つのリブ，４０  線径バネ，４１  凹曲部，Ｋ  隙間，
【図１】
0004708584.tif 000002
【図２】
0004708584.tif 000003
【図３】
0004708584.tif 000004
【図４】
0004708584.tif 000005
【図５】
0004708584.tif 000006
【図６】
0004708584.tif 000007
【図７】
0004708584.tif 000008
【図８】
0004708584.tif 000009